(57)【要約】【課題】機器修理や電子・電気回路の組立てならびに配線などの手作業現場で、従来の工具箱を使用すると、寸法、形状の異なる様々な工具が、向きもばらばらでかつ互いにかさなり合って工具箱内に横たわるという欠点の改善を目的に、各種工具の識別が容易で、各種工具の取り出しと戻しが迅速に行える新規な工具箱を提供する。【解決手段】底板をもつ箱本体（１１）の上面に備えた開口付き板（１４）に開けた板面開口（１３）と滑り止め機能をもつ箱本体の内側底の表層（１５）を手段として、板面開口に差し立てた各種手作業工具を、板面開口の開口幅と箱本体の深さの制約によって互いに重なることなくかつ取り出しやすく配列し、箱本体の内側底の表層が有する滑り止め機能によって工具の下端を拘束して、安定に一時駐在する工具箱。【選択図】図１
2007030151.tif 000002
【特許請求の範囲】
【請求項１】
底板の周囲を一周する側板により所定の高さと所定の形状をもつ胴部を立設し、その胴部の上端がつくる胴部上面開口を有する箱本体を形成し、
前記胴部上面開口に所定の周縁形状と所定の周縁寸法をもつ区画を定め、前記区画に等しい周縁形状と前記区画に等しい周縁寸法と所定の厚さの寸法を有する板の周縁の所定の部分を横断切除して前記板の板面に開けたまたは前記板の周縁の内側で前記板の板面に開けた所定の開口幅と開口軸方向に所定の長さを有する１個または複数の個数の板面開口を前記板面の所定の位置に備えて成る、材種が硬質プラスチックスまたはプラスチック複合材または硬質ゴムまたはアルミニウムまたはアルミニウム合金または鋼材または木質材の、開口付き板を前記区画に重ねて所定の位置に設け、
前記開口付き板の所定の部位を前記胴部の所定の部位に連結し、
前記箱本体の内側底面に、所定の厚さの軟質ゴムまたは軟質プラスチックスで、または所定の寸法と所定の間隔と所定の配置の突起または窪みから成る凹凸面を備えたゴムまたはプラスチックスまたはプラスチック複合材またはアルミニウムまたはアルミニウム合金または鋼材または木質材で、表層を形成して成る、工具箱。
【発明の詳細な説明】
【技術分野】
【０００１】本発明は、各種手作業工具を使用して行われる機器修理や電子・電気回路の組立てならびに配線の手作業現場で用いる工具箱において、工具の識別が容易で、工具の取り出しと戻しが迅速に行える工具箱に関する。
【背景技術】
【０００２】従来の工具箱をその構成という視点がら見て、以下に列記する（Ａ）、（Ｂ）、（Ｃ）、（Ｄ）、および（Ｅ）の各項のように分類した。各項の括弧の中に、これらの各分類に対応する代表的な参照文献を挙げた。
（Ａ）内部に中皿または内箱を有する工具箱
『参照文献：特開２００２−１８６５１２号公報、実登３０１９４０９号公報、実公平０７−０４２６２２号公報』
（Ｂ）本体の底面側に引出しを有する工具箱
『特開平１０−１５６７６２号公報、実開昭５４−０３７５９８号公報』
（Ｃ）上下複数段の箱構造の工具箱：『実開昭５４−０３７５９８号公報、実開平０６−０００６８１号公報』
（Ｄ）内部に仕切壁板を有する工具箱
『特開２００４−２１６４７４号公報、特開２００５−０７４５２５号公報、特開２０００−２８９３９８号公報』
（Ｅ）収納工具を固定的に支持する構造を内部に有する工具箱
『特開平０８−０９０４５７号公報、実開平０６−０１５９８２号公報、実登３０２８７６７号公報』【０００３】以上に記した分類ならびに参照文献から、従来の工具箱の工夫と改良は、いずれも（ａ）収納性の工夫、（ｂ）運搬容易性の改善および（ｃ）運搬時に箱内部にある収納工具の乱雑運動防止、という機能性改良の範疇の中で行われてきていることがわかる。このため結果的に、従来の工具箱は、いずれも平らな箱または受け皿または引き出しまたは仕切り壁による区分から構成されている。【０００４】一方、前記の手作業現場で用いる工具箱に着目すると、このような手作業現場では、工具箱は作業者の手元近くに置かれ、工具箱と作業対象物との間において、工具箱を起点に各種手作業工具の取り出しと戻しが非常に頻繁に行われている。このような手作業現場で使用する工具箱に求められる機能は、工具の収納保管機能ではなく、各種手作業工具の取り出しと戻しが容易かつ迅速に行える一時駐在機能に変質している。【０００５】このような背景のため、前記の手作業現場で、従来の工具箱を使用すると、工具箱内の平らな箱または受け皿または引き出しまたは仕切り壁による区分の部位に、寸法、形状の異なる様々な手作業工具が、向きもばらばらで重なり合って横たわってしまうため、各種手作業工具の容易かつ迅速な取り出しが不便であるという事態が生じる。
【発明の開示】
【発明が解決しようとする課題】
【０００６】従来の工具箱の使用によって工具箱内に起こる、寸法、形状の異なる様々な手作業工具が、向きもばらばらでかつ重なり合って横たわるという状態は、前記の手作業現場における手作業過程で各種手作業工具の識別を困難にさせ、工具箱内からの各種手作業工具の迅速な取り出しを著しく阻害している。加えて作業者は、重なり合った手作業工具の中から必要な工具を取り出す面倒を避けたいので、使用した手作業工具を工具箱に戻さないことがしばしば起こり、一連の手作業の都度、手作業工具を作業現場近傍の任意の場所に置いてしまうことが多い。このため作業者は、次の作業に必要な手作業工具を探すのに時間を空費することもしばしばである。従来の工具箱にはこのような欠点がある。【０００７】このような問題点を解決するため、本発明は、各種手作業工具の識別が容易で、工具の取り出しも戻しも容易かつ迅速に行える一時駐在機能をもつ新規構成の工具箱の提案を課題としてなされたものである。
【課題を解決するための手段】
【０００８】底板をもつ箱本体（１１）の内側底面から所定の高さに位置する胴部上面開口（１２）の所定の位置に配備された開口付き板（１４）に備わる１個または複数の個数の板面開口（１３）が、その板面開口を通じて差し立てられた各種手作業工具を互いに重ならないようにかつ工具の握り部位の端部を板面開口の上に出して配列する役割をもち、この役割と対になって、板面開口を通じて差し立てられた各種手作業工具の下端が箱本体の底面で滑らないことを保証する滑り止め機能発現体で、箱本体の内側底の表層（１５）を構成し、この表層を成す滑り止め機能発現体が、板面開口に差し立てた各種手作業工具の下端を拘束して、それら工具の安定な一時駐在を可能にする役割をもつ。
また開口付き板を転開し箱本体内に各種手作業工具を収納できる。
以上は、本発明が課題を解決するために採用した手段についての機能の側面からの要旨説明である。
本発明は、
底板の周囲を一周する側板により所定の高さと所定の形状をもつ胴部を立設し、その胴部の上端がつくる胴部上面開口を有する箱本体を形成し、
前記胴部上面開口に所定の周縁形状と所定の周縁寸法をもつ区画を定め、前記区画に等しい周縁形状と前記区画に等しい周縁寸法と所定の厚さの寸法を有する板の周縁の所定の部分を横断切除して前記板の板面に開けたまたは前記板の周縁の内側で前記板の板面に開けた所定の開口幅と開口軸方向に所定の長さを有する１個または複数の個数の板面開口を前記板面の所定の位置に備えて成る、材種が硬質プラスチックスまたはプラスチック複合材または硬質ゴムまたはアルミニウムまたはアルミニウム合金または鋼材または木質材の、開口付き板を前記区画に重ねて所定の位置に設け、
前記開口付き板の所定の部位を前記胴部の所定の部位に連結し、
前記箱本体の内側底面に、所定の厚さの軟質ゴムまたは軟質プラスチックスで、または所定の寸法と所定の間隔と所定の配置の突起または窪みから成る凹凸面を備えたゴムまたはプラスチックスまたはプラスチック複合材またはアルミニウムまたはアルミニウム合金または鋼材または木質材で、表層を形成して成る、工具箱の提案である。
【発明の効果】
【０００９】本発明の工具箱は、
板面開口の縁に沿い多数個の各種手作業工具を安定に差し立てることができる。
差し立てた各種手作業工具の握り部位の端部が板面開口の上に出ている。
板面開口に差し立てた多数個の各種手作業工具は、互いに乱雑に重ならない配列をするため、識別が容易であり、取り出しが迅速にできる。
各種手作業工具の先端や刃先を下に向けて板面開口に差し立てるので取り出しに際し作業工具の先端や刃先に手指が触れることがない。
このように本発明の工具箱は従来の工具箱にはない特徴を有することにより、本発明は、工具箱からの各種手作業工具の取り出しと戻しを、従来の工具箱に比べて容易かつ迅速に行えることを通じて、高能率で快適な手作業の達成に寄与するという効果がある。
【発明を実施するための最良の形態】
【００１０】本発明で使用を想定する各種手作業工具は、ニッパ−、ラジオペンチ、ペンチ、プライヤ−、圧着ペンチ、ワイヤ−ストリッパ−、ワイヤクリッパ−、ケ−ブルカッタ−、ドライバ−、ボックスドライバ−、スパナ、レンチ、モンキ−レンチ、ハンマ−、ポンチ、テ−パ−リ−マ−、ワイヤ−ブラシ、カッタ−ナイフ、切出しナイフ、はさみ、組やすり、ピンセット、３００ｍｍ直線定規、１５０ｍｍノギス、スコヤ（直角ゲ−ジ）、ねじ式ケガキコンパス、油性マ−カ−、裏ケガキ針、錐、スェ−ベルカッタ−、楕円抜き、ハトメ抜き、ハトメパンチ、ミニビット、木ネジビット、ノミ、白引などである。
これらの任意の一つは、さらに寸法・形状・機能別に通常数種類を使用することが多いので、各種手作業工具は全体として１００種以上になる。そこでこれら手作業工具の寸法を調べてみると、少数の例外を除けば、これらの手作業工具の最大幅は、４．５ｃｍから１２．０ｃｍの間に分布し、長さは１２．５ｃｍから約３０ｃｍに分布していて、最大厚みは２ｃｍ内外である。
この調査結果を基礎に本発明の工具箱を試作研究した結果、本発明の工具箱の各部の寸法は、寸法別に分類区分した各種手作業工具に対応して、開口付き板（１４）の板面開口（１３）の寸法は、開口幅が２．５ｃｍから３．５ｃｍの範囲、開口軸方向の長さは軸方向が直線の場合１０ｃｍから２０ｃｍの範囲が望ましい。また開口付き板の上面から箱本体の底の表層上面までの深さは、長さが短い作業工具に対しては７ｃｍから１１ｃｍの範囲、長い作業工具に対しては１５ｃｍから１７ｃｍの範囲が望ましい。また隣り合う板面開口間の板部分の幅は、２ｃｍから３ｃｍの範囲が望ましい。【００１１】本発明の実施例を図１から図３によって説明する。
図１は、本発明の一実施例を示す斜視図で、底板が矩形の形状をもつ直方体型の箱本体の例を示している。箱本体（１１）の胴部上面開口（１２）に画定された所定の寸法の矩形区画に等しい寸法の板の周縁の部分が横断切除されて矩形の一辺が開いている複数の矩形型開口から成る板面開口（１３）が開口付き板（１４）に設けてある。これら板面開口の所定の幅が、板面開口に差し込まれた各種手作業工具の自由な動きを制約し、工具が互いに乱雑に重ならない役割をする。（図２も参照）【００１２】図１の箱本体の内側底の表層（１５）は、前記した滑り止め機能発現体で構成されている。これについて以下に詳しく説明する。
滑り止め機能発現体は、板面開口を通じて差し立てた各種手作業工具の下端を、その下端が接触する表層の部位に拘束し、これら工具を安定に配列する役割をする。滑り止めの機構の分類とそれに対応して表層を構成する滑り止め機能発現体の材種について以下に記せば、
（ａ）板面開口を通じて差し立てられた各種手作業工具の下端と箱本体の内側底の表層が接触する表層部位は、その表層が軟質の材質である場合、当該工具の自重によって沈下する。その際の沈下凹部が当該工具の下端の滑りを阻止するという機構を利用する。この機構を利用した図１の表層（１５）の滑り止め機能発現体の材種は、所定の厚さの平らな軟質ゴムまたは軟質プラスチックスである。
（ｂ）板面開口を通じて差し立てられた各種手作業工具の下端が、当該工具の自重による滑りを阻止するに足る寸法の突起または窪みに遭遇し、そこに拘束されるという機構を利用する。この機構を利用する場合の表層の滑り止め機能発現体の材種は、所定の寸法と所定の間隔と所定の配置の突起または窪みから成る凹凸面を備えたゴムまたはプラスチックスまたはプラスチック複合体またはアルミニウムまたはアルミニウム合金または鋼材または木質材である。
ここで、突起（または窪み）の寸法と間隔については、突起（または窪み）の代表直径は２ｍｍから５ｍｍ、突起（または窪み）の高さ（または深さ）は２ｍｍから５ｍｍ、突起（または窪み）の中心軸間の間隔（ピッチ）は１ｃｍから２ｃｍ、のそれぞれからそれぞれの範囲の所定の値を選択するのが望ましい。突起（または窪み）の配置については、正方配置や千鳥配置でもよいが、選択した望ましいピッチの値に±１ｍｍから±４ｍｍの範囲でランダムにゆらぎが付与されたピッチの値をもつランダム配置が望ましい。なお滑り止め機能発現体を成す表層の平面的広がりについては、箱本体の内側底面全域面積を滑り止め機能発現体が占めてよいが、差し込まれた各種手作業工具の滑り止めに支障が無い範囲で所定の部分面積を滑り止め機能発現体が占めるにとどめてもよい。【００１３】図２は、本発明の工具箱に各種手作業工具を差し立てて実際に工具箱を使用している状況例を示す説明図である。図２で板面開口に差し立てられている各種手作業工具に対しては、その数が多いのでこれら各工具に対する符号は省略している。図２に示す実施例において、各種手作業工具は安定して一時駐在し、互いに識別容易であり、各種手作業工具の取り出しと戻しが容易かつ迅速に行えた。従来の工具箱の使用によって工具箱内に起こる、寸法、形状の異なる様々な手作業工具が、向きもばらばらでかつ重なり合って横たわるという状態は、本発明によって抜本的に改善されることがわかった。【００１４】図３は開口付き板（１４）を箱本体から転開した様子を示したものである。開口付き板は、図２に示すヒンジ（１６）によって箱本体（１１）の所定の部位に連結されていて、図３に見られるように箱本体から転開できる。作業終了後は、各種手作業工具を箱本体内に収納できる。
また図３は、開口付き板（１４）の板面開口（１３）が、板面内で閉じている矩形の開口〔すなわち胴部上面開口（１２）に画定された所定の寸法の矩形区画に等しい寸法の板の周縁の内側で板面に開けられた矩形の開口〕の例を示している。ばねの作用で握り部が大きく開いてしまう金切りハサミなど、作業工具の種類によっては作業工具の握り部位などが自動的に大きく開いてしまうのを、閉じている開口ならば制限できるので、工具箱の利用において適切な場合がある。
また図３の箱本体の内側底の表層（１５）は、所定の寸法と所定の間隔で突起が千鳥配置をしている滑り止め機能発現体の例を示している。【００１５】実施例の図１、図２および図３では直方体型の工具箱を例示しているが、本発明は、箱本体の形状、胴部の形状、胴部の高さ（工具から見れば深さ）、開口付き板の形状と寸法、開口付き板に設けられる板面開口の形状と寸法、隣り合う板面開口間の板部分の間隔の寸法を、段落番号【００１０】に記したデ−タを参考に、自由に設定しまたは組み合わせて構成した工具箱を包含している。このことに関して例えば、複数の胴部上面開口を形成し、それらの胴部上面開口の各周縁線を立体空間の直線または折れ線または自由曲線として設定し、この設定を基に開口付き板の形状と寸法または開口付き板に設けられる板面開口の形状と寸法を定めて本発明を構成することは容易である。
また本発明の実施例では、開口付き板と箱本体の所定の部位との連結に、ヒンジを用いているが、開口付き板を胴部上面開口内または胴部上面開口縁上に嵌めるかあるいは係合し脱着可能な構造にすることも、当業者ならば容易である。
【図面の簡単な説明】
【００１６】
【図１】本発明の一実施形態を示す斜視図である。
【図２】本発明の実施状況を示す説明図である。
【図３】開口付き板の転開を示す斜視図である。
【符号の説明】
【００１７】１１  箱本体
１２  胴部上面開口
１３  板面開口
１４  開口付き板
１５  箱本体の内側底の表層
１６  ヒンジ
【図１】
2007030151.tif 000003
【図２】
2007030151.tif 000004
【図３】
2007030151.tif 000005